(57)【要約】【目的】  見る人の視角により表面のデザインパターンが変わり、その変化が奥行き効果、色変化を生み出すリニアカレイドスコープを提供すること。【構成】  一単位が複数組み合わされ、平面パターンを形成している偏向板の２枚が、偏向板の一単位の大きさと同程度の間隔で対置されている。【選択図】          図１
2005352093.tif 000002
【特許請求の範囲】
【請求項１】
一単位が複数組み合わされ、平面パターンを形成している偏向板の２枚が、偏向板の一単位の大きさと同程度の間隔で対置されていることを特徴とするリニアカレイドスコープ。
【請求項２】
２枚の偏向板が平行に対置されている請求項１記載のリニアカレイドスコープ。
【請求項３】
２枚の偏向板が所定の角度で対置されている請求項１記載のリニアカレイドスコープ。
【請求項４】
２枚の偏向板の間で平面パターンの向きがねじれている請求項２記載のリニアカレイドスコープ。
【請求項５】
複屈折特性を有する透明テープが貼られ、平面パターンが形成された透明板の１枚又は２枚が２枚の一様偏向板の間に配置され、透明板間及び透明板と一様偏向板との間隔、また、２枚の一様偏向板の偏向方向の相対角度が、それぞれ色変化が最大化するように調整されていることを特徴とするリニアカレイドスコープ。
【請求項６】
複屈折特性を有する透明テープが直接貼られ、平面パターンが形成された一様偏向板の２枚が対置され、２枚の一様偏向板の間隔が、色変化が最大化するように調整されていることを特徴とするリニアカレイドスコープ。
【請求項７】
２枚の一様偏向板が平行に対置されている請求項５又は６記載のリニアカレイドスコープ。
【請求項８】
２枚の一様偏向板が所定の角度で対置されている請求項５又は６記載のリニアカレイドスコープ。
【請求項９】
平面パターンの向きがねじれている請求項５乃至８いずれか１項に記載のリニアカレイドスコープ。
【請求項１０】
２枚の偏向板の内、視点と反対側に位置する１枚の偏向板が鏡に置き換えられている請求項１乃至９のいずれか１項に記載のリニアカレイドスコープ。
【請求項１１】
視点と反対側に位置する偏向板の直前にハーフミラーが配置されている請求項１乃至１０のいずれか１項に記載のリニアカレイドスコープ。
【発明の詳細な説明】
【技術分野】
【０００１】
この出願の発明は、リニアカレイドスコープに関するものである。さらに詳しくは、この出願の発明は、見る人の視角により表面のデザインパターンが変わり、その変化が奥行き効果、色変化を生み出すリニアカレイドスコープに関するものである。
【背景技術】
【０００２】
２次元のパターンを簡易に変える手法として、重なり合うパターンの相対位置を、パターンを形成する板体の回転、並進移動により変えるモアレパターンが知られている。特に、並進移動のモアレパターンの拡張型として、図１４に示したように、物体は固定し、見る人間の視角、視点の移動によりパターン変化を生み出す方法が提案され（非特許文献１）、建築の外装等に用いられている。この拡張型モアレパターンは、パターン変化が視点変化のみに依存するので、特に建物等の大型対象物の外装デザインに向いている。
【非特許文献１】「LOUIS VUITTON NAGOYA」，雑誌：新建築１９９９年１０月号
【発明の開示】
【発明が解決しようとする課題】
【０００３】
しかしながら、視角変化、視点移動によるモアレパターンの変化は、あくまで重なり合う２つの平面パターンの和であり、パターンの変化はあるものの、内実は、２次元パターンでしかない。図１４に示したパターン１とパターン２の立体的配置を生かした３次元のパターンは表現することができない。
【０００４】
この出願の発明は、このような事情に鑑みてなされたものであり、見る人の視角により表面のデザインパターンが変わり、その変化が奥行き効果、色変化を生み出すリニアカレイドスコープを提供することを解決すべき課題としている。
【課題を解決するための手段】
【０００５】
この出願の発明は、上記の課題を解決するものとして、第１には、一単位が複数組み合わされ、平面パターンを形成している偏向板の２枚が、偏向板の一単位の大きさと同程度の間隔で対置されていることを特徴とするリニアカレイドスコープを提供する。
【０００６】
この出願の発明は、第２には、第１のリニアカレイドスコープにおいて、２枚の偏向板が平行に対置されているリニアカレイドスコープを提供する。
【０００７】
この出願の発明は、第３には、第１のリニアカレイドスコープにおいて、２枚の偏向板が所定の角度で対置されているリニアカレイドスコープを提供する。
【０００８】
この出願の発明は、第４には、第２のリニアカレイドスコープにおいて、２枚の偏向板の間で平面パターンの向きがねじれているリニアカレイドスコープを提供する。
【０００９】
また、この出願の発明は、第５には、複屈折特性を有する透明テープが貼られ、平面パターンが形成された透明板の１枚又は２枚が２枚の一様偏向板の間に配置され、透明板間及び透明板と一様偏向板との間隔、また、２枚の一様偏向板の偏向方向の相対角度が、それぞれ色変化が最大化するように調整されていることを特徴とするリニアカレイドスコープを提供する。
【００１０】
さらに、この出願の発明は、第６には、複屈折特性を有する透明テープが直接貼られ、平面パターンが形成された一様偏向板の２枚が対置され、２枚の一様偏向板の間隔が、色変化が最大化するように調整されていることを特徴とするリニアカレイドスコープを提供する。
【００１１】
この出願の発明は、第７には、第５又は第６のリニアカレイドスコープにおいて、２枚の一様偏向板が平行に対置されているリニアカレイドスコープを提供する。
【００１２】
この出願の発明は、第８には、第５又は第６のリニアカレイドスコープにおいて、２枚の一様偏向板が所定の角度で対置されているリニアカレイドスコープを提供する。
【００１３】
この出願の発明は、第９には、第５乃至第８のいずれか１つのリニアカレイドスコープにおいて、平面パターンの向きがねじれているリニアカレイドスコープを提供する。
【００１４】
そして、この出願の発明は、第１０には、第１乃至第９いずれか１つのリニアカレイドスコープにおいて、２枚の偏向板の内、視点と反対側に位置する１枚の偏向板が鏡に置き換えられているリニアカレイドスコープを提供する。
【００１５】
また、この出願の発明は、第１１には、第１乃至第１０いずれか１つのリニアカレイドスコープにおいて、視点と反対側に位置する偏向板の直前にハーフミラーが配置されているリニアカレイドスコープを提供する。
【発明の効果】
【００１６】
この出願の発明のリニアカレイドスコープによれば、見る人の視角により表面のデザインパターンが変わり、その変化が奥行き効果、色変化を生み出す。
【発明を実施するための最良の形態】
【００１７】
以下、この出願の発明のリニアカレイドスコープについて図面を参照しつつさらに詳しく説明する。
【００１８】
２次元パターンの変化に伴う第３の次元は、この出願の発明のリニアカレイドスコープでは、明暗であり、色彩である。この第３の次元を生み出すのが偏向板である。偏向板をたとえばある大きさを一単位とし、この一単位をチェッカー等のある一定の模様に組み合わせ（図１ａ）、平面パターンを形成した偏向板の２枚を、一単位の大きさと同程度に離して対置させると（図１ｂ）、真横から見るとき、視角の変化により明暗差が生まれ、パターンが変化する（図１ｃ）。すなわち、人は、そのような偏向板対を手元で角度を変えて見るとき、また、偏向板対で外装された建物を見るとき、あたかもそこに真の立体が多数重なっているように錯覚する。２枚の偏向板を上記のとおりに対置させて固定するには、たとえば厚いガラスやプラスチック等の両面に偏向板を貼り付けるのが簡便である。また、屈折率の高い媒体は偏向板の実際の間隔を誇張することになるため、薄いものであっても十分な効果を発揮することができる。
【００１９】
また、この出願の発明のリニアカレイドスコープでは、セロハンテープ等の複屈折特性を有する透明テープが貼られ、透明テープの厚みを異ならせる等により平面パターンが形成されたガラス、プラスチック製等の透明板（図２ａ）の２枚を、偏向方向が一様な２枚の一様偏向板間に配置する（図２ｂ）。透明板は、それ自体は通常透明であるが、２枚の一様偏向板の間に、間隔が調整されて対置されると、色が生じ、また、色彩は人の視角により変化する（図２ｃ）。この場合、透明板間及び透明板と一様偏向板との間隔、また、２枚の一様偏向板の偏向方向の相対角度が、それぞれ色変化が最大化するように調整されるものとする。なお、複屈折特性を有する透明テープによる平面パターンは、透明板でなく、一様偏向板に直接に形成しても同様の効果が得られる。
【００２０】
次に実際に得られたパターンを例示する。
【００２１】
明暗パターンでは、平面パターン自体に種々のバリエーションが考えられるため、偏向方向で区割りされている限り、どのようなパターンも可能である。図３は、２枚のチェッカー模様の偏向板を平行に対置させた場合の例であり、角度をつけて２枚のチェッカー模様の偏向板を対置させた例が図４である。２枚のチェッカー模様の偏向板は、少しひねって平行に対置させることもでき、その場合、たとえば図５に示したようなパターンが得られる。また、平面パターンを小パターン、大パターンの２種類とし、入れ子にすると、図６に示したようなパターンが得られる。平面パターンは、上記のとおり、種々のバリエーションが可能であり、たとえば、ストライプパターン、ドットパターン、不定形チェッカーパターン、スクエアドットパターン、波状パターン、花柄パターン、文字パターン、格子パターン、斜格子パターン、複雑格子パターン、カモフラージュパターン、クラシックパターン、オプティカルパターン等が例示される。
【００２２】
複屈折特性を有する透明テープを用い、偏向方向の一様な一様偏向板に平面パターンを描き、その２枚を透明テープが内側を向くように平行に対置したときの色彩パターンは、図７に例示される。図８に示したように、１〜３までの３つのパターンを作成すると、この場合、重なりにより、１＋１＝２、１＋２＝３、１＋３＝４、２＋２＝４、２＋３＝５、３＋３＝６の合計６色が得られる。
【００２３】
なお、明暗、色彩のパターン変化をより美しく見せるためには、バックライトによる照明が好適である（図９ｂ）。図３〜７の例は、いずれも、バックライトを用いた例である。
【００２４】
また、この出願の発明のリニアカレイドスコープでは、２枚の偏向板の内、視点と反対側に位置する１枚の偏向板を鏡に置き換えることができる（図９ｃ）。この場合、照明は視点側のみから行う。鏡としては、金属板、アルミフォイル等、また、ハーフミラーが例示される。図１０及び図１１は、このように鏡を用いた場合に得られるパターンを示している。鏡と１枚の偏向板の組み合わせる場合、鏡と偏向板の対置形態には、平行にする場合と角度をつける場合の２種類がある。
【００２５】
さらに、この出願の発明のリニアカレイドスコープでは、図９ａに示したように、視点と反対側に位置する偏向板の直前にハーフミラーを配置することもできる。たとえば偏向板１を、一単位を複数枚組み合わせ、平面パターンを形成した偏向板とし、偏向板２を、複屈折特性を有する透明テープが貼られ、平面パターンが形成された偏向板とすると、前面光の場合には、ハーフミラーにより偏向板と鏡との組み合わせによるリニアカレイドスコープとなり、背面光の場合には、ハーフミラーが透明化し、偏向板１及び偏向板２の組み合わせによるリニアカレイドスコープとなる。
【００２６】
そして、この出願の発明のリニアカレイドスコープでは、図１２に示したように、偏向板に９０°旋光子フィルムを貼ることにより平面パターンを作成することも可能である。図１３は、得られた明暗パターンである。
【００２７】
もちろん、この出願の発明は、以上の実施形態によって限定されるものではない。細部については様々な態様が可能であることはいうまでもない。
【産業上の利用可能性】
【００２８】
以上詳しく説明したとおり、この出願の発明によって、見る人の視角により表面のデザインパターンが変わり、その変化が奥行き効果、色変化を生み出すリニアカレイドスコープが提供される。
【図面の簡単な説明】
【００２９】
【図１】ある大きさを一単位とし、この一単位をチェッカー模様に組み合わせて平面パターンを形成した偏向板の２枚を、一単位の大きさと同程度に離して対置させるリニアカレイドスコープと視角の変化に伴うパターン変化を示した図である。
【図２】複屈折特性を有する透明テープが貼られ、平面パターンが形成された透明板の２枚を、偏向方向が一様な２枚の一様偏向板間に配置したリニアカレイドスコープと視角の変化に伴う色変化を示した図である。
【図３】２枚のチェッカー模様の偏向板を平行に対置させたリニアカレイドスコープにより得られる一パターンである。
【図４】２枚のチェッカー模様の偏向板を角度をつけて対置させたリニアカレイドスコープにより得られる一パターンである。
【図５】２枚のチェッカー模様の偏向板を少しひねって平行に対置させたリニアカレイドスコープにより得られる一パターンである。
【図６】平面パターンを小パターン、大パターンの２種類とし、入れ子にしたときのリニアカレイドスコープにより得られる一パターンである。
【図７】複屈折特性を有する透明テープを用い、偏向方向の一様な一様偏向板に平面パターンを描き、その２枚を透明テープが内側を向くように平行に対置したときの色彩パターンの一例である。
【図８】複屈折特性を有する透明テープを用いる場合の平面パターンの一例である。
【図９】リニアカレイドスコープの構成例を示した図である。
【図１０】２枚の偏向板の内、視点と反対側に位置する１枚の偏向板を鏡に置き換えたリニアカレイドスコープにより得られる一パターンである。
【図１１】２枚の偏向板の内、視点と反対側に位置する１枚の偏向板を鏡に置き換えたリニアカレイドスコープにより得られる一パターンである。
【図１２】偏向板に９０°旋光子フィルムを貼ることにより平面パターンを作成した例である。
【図１３】図１２に示したリニアカレイドスコープにより得られる一パターンである。
【図１４】拡張型モアレパターンの原理を示した図である。
【図８】
2005352093.tif 000003
【図９】
2005352093.tif 000004
【図１２】
2005352093.tif 000005
【図１３】
2005352093.tif 000006
【図１４】
2005352093.tif 000007
【図１】
2005352093.tif 000008
【図２】
2005352093.tif 000009
【図３】
2005352093.tif 000010
【図４】
2005352093.tif 000011
【図５】
2005352093.tif 000012
【図６】
2005352093.tif 000013
【図７】
2005352093.tif 000014
【図１０】
2005352093.tif 000015
【図１１】
2005352093.tif 000016